(57)【特許請求の範囲】
【請求項１】
車両環境の自動調節機能を有する車両との無線通信を通じて自身を所持するユーザに適した車両環境へと自動調節動作を実行する旨要求する電子キーにおいて、
前記電子キーの振り操作に起因して生じる加速度を検出する加速度検出手段と、
車両ドアの解錠を要求する際に操作され、操作されたときにはその旨示す操作信号を出力するアンロックスイッチと、
前記アンロックスイッチから入力される前記操作信号の有無に基づき前記アンロックスイッチの操作の有無を検知するとともに、前記アンロックスイッチの操作を検知したとき解錠要求信号を前記車両側へ送信し、その検知後に継続する前記アンロックスイッチの操作が検知されている期間において、前記加速度検出手段の検出結果に基づき前記振り操作の態様を検出して、その検出される振り操作の態様に応じて異なる車両環境を整えることに供される信号を車両側へ送信する制御装置と、を備え、
前記制御装置は、前記アンロックスイッチの操作が検知されると前記加速度検出手段へ電力を供給し、前記スイッチの操作が検知されなくなると前記加速度検出手段への電力供給を停止する電子キー。
【請求項２】
車両環境の自動調節機能を有する車両との無線通信を通じて自身を所持するユーザに適した車両環境へと自動調節動作を実行する旨要求する電子キーにおいて、
前記電子キーの振り操作に起因して生じる加速度を検出する加速度検出手段と、
車両ドアの解錠を要求する際に操作され、操作されたときにはその旨示す操作信号を出力するアンロックスイッチと、
前記アンロックスイッチから入力される前記操作信号の有無に基づき前記アンロックスイッチの操作の有無を検知するとともに、前記アンロックスイッチの操作を検知したとき解錠要求信号を前記車両側へ送信し、その検知後に継続する前記アンロックスイッチの操作が検知されている期間において、前記加速度検出手段の検出結果に基づき前記振り操作の態様を検出して、その検出される振り操作の態様に応じて異なる車両環境を整えることに供される信号を車両側へ送信する制御装置と、を備え、
前記制御装置は、前記アンロックスイッチの操作を検知したときに前記加速度検出手段へ電力の供給を開始すると同時に、前記加速度検出手段の検出結果に基づく前記振り操作の態様の検出を開始する電子キー。
【請求項３】
請求項１又は２に記載の電子キーにおいて、
前記制御装置は、前記加速度検出手段により検出される加速度の変化に基づき振り操作の軌跡を前記振り操作の態様として算出するとともに、その算出される振り操作の軌跡と予めユーザ毎に登録される振り操作の軌跡との照合を通じて前記電子キーを携帯するユーザを特定して、同ユーザに適した車両環境を整えることに供される信号を車両側に送信する電子キー。
【請求項４】
請求項３に記載の電子キーにおいて、
前記制御装置は、算出される振り操作の軌跡が予めユーザ毎に登録される振り操作の軌跡と類似する旨判断されるときにも照合が成立したとして前記電子キーを携帯するユーザを特定する電子キー。
【発明の詳細な説明】
【技術分野】
【０００１】
この発明は、遠隔操作にて車両の制御ができる電子キーに関する。
【背景技術】
【０００２】
従来、電子キー（携帯機）と車両側との無線通信を通じて車両ドアの施解錠、エンジン始動許可等を行う電子キーシステムが知られている。この電子キーシステムにおいて、例えば、１台の車両を複数のユーザが共有する場合には、各ユーザがオーディオ、座席位置等の車両環境を自分に適するように手動で整えねばならず、面倒であった。
【０００３】
そこで、１台の車両に対して複数の電子キーが登録可能な電子キーシステムにおいては、電子キーと車両側との無線通信時に同電子キーに設定される個人の車両環境データが車両側に送信される構成が公知である。本構成によれば、車両は電子キーから送信される車両環境データに基づき自動で車両環境が整えられるところ、利便性が高い（例えば、特許文献１参照。）。
【先行技術文献】
【特許文献】
【０００４】
【特許文献１】特開２００１−４９９１８号公報
【発明の概要】
【発明が解決しようとする課題】
【０００５】
ところで、上記特許文献１に記載のシステムではユーザ毎に適した車両環境が異なるので、ユーザ分だけ電子キーを用意する必要がある。このため、各ユーザは誤って他のユーザの電子キーを携帯したときにはユーザに適した車両環境とはならない。このように、ユーザに適した車両環境の自動調整が適切に行われない状況が懸念される。
【０００６】
この発明は、こうした実情に鑑みてなされたものであり、その目的は、車両側で実行される車両環境の自動調節に際し、電子キーを携帯するユーザに対する適格性を高めることができる電子キーを提供することにある。
【課題を解決するための手段】
【０００７】
以下、上記目的を達成するための手段及びその作用効果について説明する。
請求項１に記載の発明は、車両環境の自動調節機能を有する車両との無線通信を通じて自身を所持するユーザに適した車両環境へと自動調節動作を実行する旨要求する電子キーにおいて、前記電子キーの振り操作に起因して生じる加速度を検出する加速度検出手段と、車両ドアの解錠を要求する際に操作され、操作されたときにはその旨示す操作信号を出力するアンロックスイッチと、前記アンロックスイッチから入力される前記操作信号の有無に基づき前記アンロックスイッチの操作の有無を検知するとともに、前記アンロックスイッチの操作を検知したとき解錠要求信号を前記車両側へ送信し、その検知後に継続する前記アンロックスイッチの操作が検知されている期間において、前記加速度検出手段の検出結果に基づき前記振り操作の態様を検出して、その検出される振り操作の態様に応じて異なる車両環境を整えることに供される信号を車両側へ送信する制御装置と、を備え、前記制御装置は、前記アンロックスイッチの操作が検知されると前記加速度検出手段へ電力を供給し、前記スイッチの操作が検知されなくなると前記加速度検出手段への電力供給を停止することをその要旨としている。
【０００８】
同構成によれば、電子キーはアンロックスイッチが操作されている状態において、所定の態様の振り操作が行われることで、振りの態様に応じて異なる車両環境を整えることに供される信号を送信する。従って、車両側においては、受信される電子キーからの信号に基づき振りの態様に応じて異なる車両環境の調節動作を実行可能となる。これにより、例えば、電子キーの振り操作と、ユーザとを関連付けることにより、電子キーを複数人が共有する場合であれ、電子キーを携帯するユーザに適した車両環境を実現することができる。
また、乗車に際して、ユーザは電子キーのアンロックスイッチを押下することで、車両ドアの解錠を行うことができる。さらに、ユーザは、アンロックスイッチを押下した状態を保ったまま、電子キーを所定の態様で振り操作する。これにより、電子キーは振りの態様に応じて異なる車両環境を整えることに供される信号を送信する。このように、ユーザは乗車する際に、アンロックスイッチの押下からの一連の振り操作にて、迅速、かつ容易にユーザに適した車両環境を要求することが可能となる。
また、アンロックスイッチが操作されていない期間においては加速度検出手段には電力が供給されないため、電子キーの無駄な電力の消費を抑制できる。
【０００９】
請求項２に記載の発明は、車両環境の自動調節機能を有する車両との無線通信を通じて自身を所持するユーザに適した車両環境へと自動調節動作を実行する旨要求する電子キーにおいて、前記電子キーの振り操作に起因して生じる加速度を検出する加速度検出手段と、車両ドアの解錠を要求する際に操作され、操作されたときにはその旨示す操作信号を出力するアンロックスイッチと、前記アンロックスイッチから入力される前記操作信号の有無に基づき前記アンロックスイッチの操作の有無を検知するとともに、前記アンロックスイッチの操作を検知したとき解錠要求信号を前記車両側へ送信し、その検知後に継続する前記アンロックスイッチの操作が検知されている期間において、前記加速度検出手段の検出結果に基づき前記振り操作の態様を検出して、その検出される振り操作の態様に応じて異なる車両環境を整えることに供される信号を車両側へ送信する制御装置と、を備え、前記制御装置は、前記アンロックスイッチの操作を検知したときに前記加速度検出手段へ電力の供給を開始すると同時に、前記加速度検出手段の検出結果に基づく前記振り操作の態様の検出を開始することをその要旨としている。
【００１０】
同構成によれば、電子キーはアンロックスイッチが操作されている状態において、所定の態様の振り操作が行われることで、振りの態様に応じて異なる車両環境を整えることに供される信号を送信する。従って、車両側においては、受信される電子キーからの信号に基づき振りの態様に応じて異なる車両環境の調節動作を実行可能となる。これにより、例えば、電子キーの振り操作と、ユーザとを関連付けることにより、電子キーを複数人が共有する場合であれ、電子キーを携帯するユーザに適した車両環境を実現することができる。
また、乗車に際して、ユーザは電子キーのアンロックスイッチを押下することで、車両ドアの解錠を行うことができる。さらに、ユーザは、アンロックスイッチを押下した状態を保ったまま、電子キーを所定の態様で振り操作する。これにより、電子キーは振りの態様に応じて異なる車両環境を整えることに供される信号を送信する。このように、ユーザは乗車する際に、アンロックスイッチの押下からの一連の振り操作にて、迅速、かつ容易にユーザに適した車両環境を要求することが可能となる。
また、アンロックスイッチが操作されると、加速度検出手段へ電力の供給を開始すると同時に振り操作の態様の検出が開始される。
【００１１】
請求項３に記載の発明は、請求項１又は２に記載の電子キーにおいて、前記制御装置は、前記加速度検出手段により検出される加速度の変化に基づき振り操作の軌跡を前記振り操作の態様として算出するとともに、その算出される振り操作の軌跡と予めユーザ毎に登録される振り操作の軌跡との照合を通じて前記電子キーを携帯するユーザを特定して、同ユーザに適した車両環境を整えることに供される信号を車両側に送信することをその要旨としている。
同構成によれば、制御装置は加速度検出手段により検出される加速度変化に基づき振り操作の軌跡を算出し、その算出される振り操作の軌跡と予めユーザ毎に登録される振り操作の軌跡との照合を通じて電子キーを携帯するユーザを特定する。すなわち、電子キーを共有するユーザ毎にそれぞれ異なる振りの態様が関連付けられている。従って、ユーザは車両ドアの解錠時におけるスイッチの操作から連続して所定の軌跡にて振り操作を行うことで、電子キーを携帯するユーザとしての特定がされる。そして、電子キー２からは特定したユーザに適した車両環境を整えることに供される信号を車両側へ送信する。従って、車両側においては、特定されたユーザに応じて異なる車両環境を実現することが可能となる。これにより、電子キーを複数人が共有する場合であれ、電子キーを携帯するユーザに適した車両環境を実現することができる。
【００１２】
請求項４に記載の発明は、請求項３に記載の電子キーにおいて、前記制御装置は、算出される振り操作の軌跡が予めユーザ毎に登録される振り操作の軌跡と類似する旨判断されるときにも照合が成立したとして前記電子キーを携帯するユーザを特定することをその要旨としている。
同一のユーザが同じ軌跡にて振り操作を行った場合であっても、振り操作の軌跡は振り操作毎に僅かに異なる。上記構成によれば、算出される振り操作の軌跡が予めユーザ毎に登録される振り操作の軌跡と類似しているか否かで電子キーを携帯するユーザを特定する。ここで、振り操作の軌跡の類似範囲は、算出される振り操作の軌跡が予め登録される振り操作の軌跡と比較して、その差異が同一ユーザによる操作毎の誤差であると認められる範囲に設定される。これにより、正規のユーザであるのにも関わらずユーザの特定が不能となることが抑制され、ユーザの特定がいっそう確実に行える。
【発明の効果】
【００１３】
本発明によれば、車両側で実行される車両環境の自動調節に際し、電子キーを携帯するユーザに対する適格性を高めることができる。
【図面の簡単な説明】
【００１４】
【図１】本実施形態における電子キーシステムの構成図。
【図２】本実施形態における電子キーの斜視図。
【図３】本実施形態における１軸方向における加速度の推移を示すグラフ。
【図４】本実施形態における電子キーの振り操作の軌跡を示した概略図。
【図５】本実施形態におけるユーザ毎に割り当てられた振り操作の軌跡を示した表。
【発明を実施するための形態】
【００１５】
以下、本発明を電子キーシステムに具体化した一実施形態について図１〜図５を参照して説明する。
図１に示すように、本実施形態の車両には、電子キーシステム１が搭載されている。電子キーシステム１は、車両ユーザが所持する電子キー２（送信側）と、車両側に設けられる車載装置３（受信側）との間での無線通信による単方向通信が可能である。
【００１６】
（電子キー２）
図２に示すように、電子キー２は、その表面に車両ドアを施錠する際に操作されるロックスイッチ２７と、車両ドアを解錠する際に操作されるアンロックスイッチ２６と、を備えている。なお、ロックスイッチ２７及びアンロックスイッチ２６はプッシュ式スイッチである。
【００１７】
また、図１に示すように、電子キー２は、ロックスイッチ２７及びアンロックスイッチ２６に加えて、マイコン２３と、送信回路２４と、送信アンテナ２５と、加速度センサ２１とを備えている。なお、電子キー２には図示しない電池が内蔵され、同電池から各部に動作電源が供給される。
【００１８】
加速度センサ２１は、電子キー２が振られたときに生じる加速度に応じた電圧を検出結果として、マイコン２３に出力する。本実施形態における加速度センサ２１は３軸方向（ＸＹＺ座標系における互いに直交するＸ軸、Ｙ軸、Ｚ軸）の加速度を検知可能である。加速度センサ２１には機械式、光学式、半導体式のもの等があるが、電子キー２に内蔵可能であって振り操作に基づく加速度を検出できるものであれば何れであってもよい。
【００１９】
マイコン２３は、不揮発性のメモリ２３ａを備えるとともに、そのメモリ２３ａには、
ユーザ毎の振り操作の軌跡が登録されるユーザ特定データ、及び電子キー２毎に設定されたＩＤコード（識別コード）等が記憶されている。マイコン２３は加速度センサ２１の検出結果に基づき振り操作の軌跡を算出し、算出された振り操作の軌跡とユーザ特定データとの比較を通じてユーザの特定を行う。ユーザの特定方法については後で詳述する。
【００２０】
アンロックスイッチ２６が操作されるとその旨を示す操作信号Ｓａがマイコン２３に出力され、ロックスイッチ２７が操作されるとその旨を示す操作信号Ｓｕがマイコン２３に出力される。操作信号Ｓａ，Ｓｕはアンロックスイッチ２６又はロックスイッチ２７が押下され続けている限りは出力され、押下が解除されると出力は停止する。マイコン２３は操作信号Ｓａ，Ｓｕの入力の有無に基づきアンロックスイッチ２６又はロックスイッチ２７の操作の有無を検知する。
【００２１】
マイコン２３は、アンロックスイッチ２６が操作されたことを、操作信号Ｓａの入力を通じて認識すると、ＩＤコード及びドアの解錠を要求する旨のコードを含む解錠要求信号を生成して、送信回路２４に出力する。送信回路２４は、マイコン２３から入力された解錠要求信号を所定周波数帯の電波に変調して、送信アンテナ２５から送信する。なお、本実施形態において所定周波数帯とはＲＦ（Ｒａｄｉｏ  Ｆｒｅｑｕｅｎｃｙ）帯である。
【００２２】
ここで、マイコン２３はアンロックスイッチ２６が操作された旨を示す操作信号Ｓａの入力を契機として加速度センサ２１へ電力を供給して、同加速度センサ２１を起動させる。それと、同時にマイコン２３は加速度センサ２１の検出結果に基づくユーザの特定を開始する。マイコン２３は電子キー２を携帯しているユーザの特定がされると、その特定結果であるユーザ特定コードを含むユーザ特定信号を生成するとともに、これにＩＤコードを付加した信号を送信回路２４に出力する。送信回路２４は、マイコン２３から入力されたユーザ特定信号を所定周波数帯の電波に変調して、送信アンテナ２５から送信する。マイコン２３は操作信号Ｓａ，Ｓｕが検知できなくなった時点で加速度センサ２１への電力の供給を停止する。すなわち、マイコン２３は、操作信号Ｓａ，Ｓｕが検知されない期間においては、加速度センサ２１へ電力を供給することなく、ユーザの特定は行われない。なお、ユーザ特定信号は車両環境を整えることに供される信号に相当する。
【００２３】
また、マイコン２３は、ロックスイッチ２７が操作されたことを、操作信号Ｓｕの入力を通じて認識すると、ＩＤコード及びドアの施錠を要求する旨のコードを含む施錠要求信号を生成して、送信回路２４に出力する。送信回路２４は、マイコン２３から入力された施錠要求信号を所定周波数帯の電波に変調して、送信アンテナ２５から送信する。
【００２４】
（車載装置３）
車載装置３は、受信アンテナ３１と、受信回路３２と、車載制御部３３とを備えている。受信アンテナ３１は、電子キー２から送信されてくる各種要求信号（施錠要求信号、解錠要求信号、ユーザ特定信号）を受信するための媒体である。受信回路３２は、受信アンテナ３１により受信された各種要求信号を復調して受信信号を生成するとともに、その受信信号を車載制御部３３に出力する。なお、この受信信号には、電子キー２のＩＤコード等が含まれている。
【００２５】
車載制御部３３は、不揮発性のメモリ３３ａを備えるとともに、そのメモリ３３ａには、車載装置３が搭載されている車両に適合する電子キー２のＩＤコードと同一のＩＤコード及びユーザ毎に適した車両環境が登録されている個人データが記憶されている。具体的に、個人データにはユーザに適したシート位置、シート角度、ステアリング位置、音楽等が記憶されている。車載制御部３３は車両ドアの施解錠を行うドア制御装置４０、シート位置、シート角度及びステアリング位置等を自動で調整する運転姿勢調節装置４１、サイドミラーの鏡面角度を調整するサイドミラー装置４２、音楽等を出力するオーディオ装置４３等の各種車載機器の統括制御を行う。
【００２６】
車載制御部３３は、受信回路３２から入力された受信信号がメモリ３３ａに記憶されたＩＤコードと一致するＩＤコードが含まれる解錠要求信号である旨判断される場合には、正規の電子キー２による車両ドアの解錠に関する要求があった旨を認識する。そして、車載制御部３３は、このように認識したとき、ドア制御装置４０にドア解錠指令信号を出力する。その結果、ドア制御装置４０により車両ドアが解錠される。
【００２７】
また、車載制御部３３は、受信回路３２から入力された受信信号がメモリ３３ａに記憶されたＩＤコードと一致するＩＤコードが含まれる施錠要求信号である旨判断される場合には、正規の電子キー２による車両ドアの施錠に関する要求があった旨を認識する。そして、車載制御部３３は、このように認識したとき、ドア制御装置４０にドア施錠指令信号を出力する。その結果、車両ドアが施錠される。
【００２８】
また、車載制御部３３は、受信回路３２から入力された受信信号がユーザ特定信号である旨判断される場合には、同信号に含まれるユーザ情報であるユーザ特定コードを取得して、この取得されるユーザ情報に基づき、自身のメモリ３３ａに記憶される個人データを参照して、ユーザに適した車両環境を整えるべく、各車載機器の制御を実行する。具体的には、車載制御部３３は、運転姿勢調節装置４１を介してシート位置、シート角度、ステアリングの高さをユーザの体格等に適するように調整したり、サイドミラー装置４２を介してサイドミラーの鏡面角度を調整したり、オーディオ装置４３を介して再生される音楽をユーザの好みの設定としたりする。このようにして、ユーザに適した車両環境が整えられる。
【００２９】
なお、ユーザに適した車両環境は、ユーザが最も運転し易いシート位置等にあるときの各種車載機器の設定をユーザ自ら個人データとして登録してもよいし、特定されたユーザが乗車毎に実行する各種車載機器の設定を学習し、その設定が個人データに自動的に更新登録されるようにしてもよい。
【００３０】
次に、マイコン２３によるユーザの特定方法について説明する。
前述したようにマイコン２３は加速度センサ２１から出力される各軸の出力に基づき算出される電子キー２の振り操作の軌跡に基づきユーザを特定する。そこで、まず、振り操作の軌跡算出の前提となる電子キー２の振り方向の判定手法について説明し、次いで電子キー２の振り操作の軌跡の算出及び当該軌跡を利用したユーザ特定方法について説明する。
【００３１】
マイコン２３は加速度センサ２１の検出結果に基づき重力加速度の方向変化に加え、遠心力による成分が含まれる加速度を検出することができるので、所定の演算により、電子キー２の傾きを判断することができる。また、電子キー２の各軸方向における振りの方向は、加速度センサ２１からの各軸方向の加速度の検出結果である出力信号（電圧値）のプラス、マイナスで判断可能である。電子キー２の各軸方向における振りの方向、及び前述した電子キー２の傾きを総合することで、電子キー２の振り方向を判断可能である。
【００３２】
具体例を挙げて、電子キー２の振り方向の判断方法について説明する。図２に示すように、加速度センサ２１の加速度の検出方向であるＸＹＺ軸は電子キー２に対して次のように設定されている。すなわち、電子キー２の長辺に沿う方向にＸ軸、電子キー２の短辺に沿う方向にＹ軸、電子キー２の両スイッチ２６，２７が設けられる面に直交する方向にＺ軸、がそれぞれ設定されている。図３に示すように、加速度センサ２１による所定軸方向の加速度の検出結果である出力信号（電圧値）がプラスであるときと、マイナスであるときとでは、電子キー２の動きは同一の軸方向において反対方向となる。例えば、図２に示すように、電子キー２がＹ軸方向に沿う左右方向に振られたとする。この場合には、加速度センサ２１は、図３に示すように、左方向に振られたときと、右方向に振られたときとではプラス、マイナスが反対の信号（電圧値）を出力する。そして、例えばマイコン２３は加速度センサ２１のＹ軸出力がプラスの電圧のとき右方向に振られたと判断し、マイナスの電圧のとき左方向に振られたと判断する。
【００３３】
次に、マイコン２３による電子キー２の振り操作の軌跡の算出方法について説明する。
図４に示すように、電子キー２がＸＹ面に沿って振られた場合には、マイコン２３は加速度センサ２１により検出されるＸＹ軸方向における加速度を合成することで振り方向を判断する。ここで、電子キー２が非直線状に振られているときには、振り方向（加速度方向）は時々刻々と変化する。マイコン２３は、この振り方向（加速度方向）の変化に基づき電子キー２の振り操作の軌跡を算出する。
【００３４】
マイコン２３は、算出した振り操作の軌跡と自身のメモリ２３ａに記憶されるユーザ毎に登録されるユーザ特定データとの照合を通じてユーザの特定を行う。すなわち、マイコン２３は、算出された振り操作の軌跡が、図５に示すユーザ特定データに記憶される振り操作の軌跡の円に類似していれば、Ａさんであるとユーザの特定を行う。同様に、算出された振り操作の軌跡が三角であり、ユーザ特定データに記憶される振り操作の軌跡である三角に類似していれば、Ｂさんであるとユーザの特定を行う。また、算出された振り操作の軌跡が四角であり、ユーザ特定データに記憶される振り操作の軌跡である四角に類似していれば、Ｃさんであるとユーザの特定を行う。
【００３５】
ここで、同一のユーザが同じ振り操作を行っても、振り操作毎に振り操作の軌跡は僅かに異なる。そこで、マイコン２３は振り操作の軌跡がユーザ特定データの振り操作の軌跡に類似する範囲であればユーザの特定を行う。ここで、振り操作の軌跡の類似は、算出された振り操作の軌跡がユーザ特定データに記憶される振り操作の軌跡と比較して、その差異が同一ユーザによる操作毎の誤差であると認められる範囲に設定される。これにより、正規のユーザであるのにも関わらずユーザの特定が不能となることが抑制され、ユーザの特定がいっそう確実に行える。
【００３６】
ユーザ特定データの振り操作の軌跡はユーザ自身で登録することができる。すなわち、電子キー２のユーザ登録が可能なモードにおいて、電子キー２はユーザに自身への振り操作を要求する。そのとき、算出される振り操作の軌跡をユーザ特定データに登録する。これにより、ユーザの振り操作のくせ等も含めて振り操作の軌跡が登録されるところ、ユーザになりすました他人の振り操作によるユーザ特定を防止し、より精度の高いユーザの特定が可能となる。
【００３７】
最後に、電子キー２による解錠からユーザに適した車両環境が整えられるまでの一連のユーザの操作及び車両の動作について説明する。
乗車に際して、ユーザは電子キー２のアンロックスイッチ２６を押下することで、車両ドアの解錠を行うことができる。さらに、ユーザは、アンロックスイッチ２６を押下した状態を保ったまま、例えば電子キー２をＡさんであれば円の軌跡を描くように、振り操作を行う。これにより、電子キー２からは同電子キー２を携帯するユーザはＡさんである旨のユーザ特定信号が車両側に送信される。ユーザ特定信号を受けた車両はＡさんに適するようにシート位置等を調整して車両環境を整える。このように、ユーザは乗車する際に、アンロックスイッチ２６の押下からの一連の振り操作にて、迅速、かつ容易にユーザに適した車両環境を要求することが可能である。
【００３８】
以上、説明した実施形態によれば、以下の作用効果を奏することができる。
（１）電子キー２はアンロックスイッチ２６が操作されている状態において、所定の態様の振り操作が行われることで、振りの態様に応じてユーザが特定されて、その特定結果を示すユーザ特定信号を車両側に送信する。従って、車両側においては、受信される電子キー２からのユーザ特定信号に基づき振りの態様に応じて異なる車両環境の調節動作を実行可能となる。これにより、例えば、電子キー２の振り操作と、ユーザとを関連付けることにより、電子キー２を複数人が共有する場合であれ、電子キー２を携帯するユーザに適した車両環境を実現することができる。
【００３９】
（２）マイコン２３は加速度センサ２１により検出される加速度変化に基づき振り操作の軌跡を算出し、その算出される振り操作の軌跡と予めユーザ毎に登録される振り操作の軌跡との照合を通じて電子キー２を携帯するユーザを特定する。すなわち、電子キー２を共有するユーザ毎にそれぞれ異なる振りの態様が関連付けられている。従って、ユーザは車両ドアの解錠時におけるアンロックスイッチ２６の操作から連続して所定の軌跡にて振り操作を行うことで、電子キー２を携帯するユーザとしての特定がされる。そして、電子キー２からは特定したユーザを示すユーザ特定信号を車両側へ送信する。従って、車両側においては、特定されたユーザに応じて異なる車両環境を実現することが可能となる。これにより、電子キー２を複数人が共有する場合であれ、電子キー２を携帯するユーザに適した車両環境を実現することができる。
【００４０】
（３）同一のユーザが同じ軌跡にて振り操作を行った場合であっても、振り操作の軌跡は振り操作毎に僅かに異なる。上記構成によれば、算出される振り操作の軌跡が予めユーザ毎に登録される振り操作の軌跡と類似しているか否かで電子キー２を携帯するユーザを特定する。ここで、振り操作の軌跡の類似範囲は、算出される振り操作の軌跡が予め登録される振り操作の軌跡と比較して、その差異が同一ユーザによる操作毎の誤差であると認められる範囲に設定される。これにより、正規のユーザであるのにも関わらずユーザの特定が不能となることが抑制され、ユーザの特定がいっそう確実に行える。
【００４１】
なお、上記実施形態は、これを適宜変更した以下の形態にて実施することができる。
・上記実施形態においては、車載制御部３３はメモリ３３ａに記憶される個人データに基づき、電子キー２側で特定されたユーザと、そのユーザに適する車両環境との関連付けが行われていた。しかし、電子キー２側でユーザの特定と、そのユーザに適する車両環境との関連付けを行ってもよい。この場合には、マイコン２３は自身のメモリ２３ａに記憶される個人データに基づき、特定されたユーザに適する車両環境、例えばシート位置等を認識する。そして、電子キー２は車両環境を整えることに供される信号としてユーザに適するように運転姿勢調節装置４１、サイドミラー装置４２、オーディオ装置４３等の制御を要求する旨の要求信号を車両側に出力する。
【００４２】
・上記実施形態においては、ユーザ特定データの振り操作の軌跡は、ユーザ登録が可能なモードにおいて、ユーザ自身の振り操作の軌跡を登録していた。しかし、ユーザ特定データの振り操作の軌跡は予め登録されていてもよい。この場合には、マイコン２３は算出される振り操作の軌跡が円、三角等の何れの図形を描いているかのみを判断し、ユーザの特定を行う。このときには、例えばＡさん以外の人が三角の軌跡を描くように振り操作を行ってもＡさんである旨の照合が成立する。この場合には、例えば、Ａさんの体格に似たユーザ登録をしていない人が乗車する場合にも、振り操作にて車両のシート位置等が比較的自身に適した状態に調整される。さらに、マイコン２３は算出される振り操作の軌跡が円、三角等の何れの図形を描いているかのみを判断し、ユーザの特定を行わなくてもよい。この場合では、例えば振り操作の軌跡が円を描けば身長１８０ｃｍに適したシート位置等に調整されたり、三角を描けば若者向けの音楽が再生されたりする。
【００４３】
・上記実施形態においては、マイコン２３は、算出された電子キー２の振り操作の軌跡と自身のメモリ２３ａに記憶されるユーザ特定データとの比較を通じてユーザの特定を行う。しかし、ユーザを特定する基準は振り操作の軌跡に限定されず、例えば振り操作の軌跡に加えて、振りの軌跡上における振り速度をユーザ特定の基準としてもよい。振り操作の軌跡上における振り速度は、振り加速度を時間で積分することで算出が可能である。この場合、メモリ２３ａのユーザ特定データには、振り操作の軌跡に加えて、振りの軌跡上の速度が記憶されている。マイコン２３は算出した振り操作の軌跡及び振りの速度と、ユーザ特定データの振り操作の軌跡及び振りの軌跡上における振り速度との照合を通じてユーザの特定を行う。この場合にも、マイコン２３は同一ユーザの振り操作毎の誤差を許容するためユーザ特定データと類似していると判断すれば、ユーザの特定が行われる。これにより、異なるユーザが同じ軌跡にて振り操作を行った場合であれ、電子キー２を振る速度が異なればユーザの特定がされることはない。このため、ユーザの特定をより確実に行える。
【００４４】
・上記実施形態においては、車載制御部３３はユーザに適した車両環境とするために、シート位置等を調整していた。しかし、ユーザに適した車両環境は上記実施形態に例示したものに限らず、例えば車内外照明、バックミラー角度、エアコンディショナの室温等をユーザに適した設定とすることで、ユーザに適した車両環境を実現してもよい。
【００４５】
・上記実施形態においては、電子キー２にはロックスイッチ２７及びアンロックスイッチ２６が設けられていたが、電子キー２に設けられるスイッチはこれらに限らない。例えば、電子キーの単一のスイッチの操作毎に車両ドアを施錠から解錠、解錠から施錠に切り替わるものであってもよく、ユーザは同スイッチを押下して車両ドアを解錠した後に、その状態を保って所定の軌跡の振り操作を行うことで、自身に適した車両環境とすることができる。
【００４６】
・上記実施形態においては、マイコン２３はアンロックスイッチ２６が操作されている旨の操作信号Ｓａを検知している期間のみ加速度センサ２１を動作させているが、これに限らず、加速度センサ２１を常時動作させていてもよい。この場合には、例えば、マイコン２３はユーザ特定の確実性を向上させるために、加速度センサ２１の検出結果に基づきユーザの毎歩に要する時間に対応する歩調及び毎歩に進む距離である歩幅を算出することが可能である。ここで、歩行者の体格及び歩き方等により異なるため、電子キーを携帯するユーザの歩調及び歩幅をみることでユーザの推定ができる。この歩調及び歩幅によるユーザの推定を、上記実施形態における振り操作によるユーザ特定に加えて行うことで、より精度の高いユーザ特定を行うことが可能となる。
【００４７】
・上記実施形態においては、マイコン２３は、算出した振り操作の軌跡と自身のメモリ２３ａに記憶されるユーザ毎に登録されるユーザ特定データの振り操作の軌跡との照合を通じてユーザの特定を行っていた。しかし、振り操作の軌跡を算出することなく照合を行ってもよい。この場合には、マイコン２３は操作信号を検知した時点からの加速度及び加速度方向の変化と、ユーザ特定データとして記憶される加速度及び加速度方向の変化との比較を通じてユーザ特定を行う。ここで、マイコン２３は軌跡を算出しないため演算負荷を低減できる。
【００４８】
・上記実施形態においては、ロックスイッチ２７及びアンロックスイッチ２６は押下することで操作可能なプッシュ式スイッチであったが、プッシュ式のスイッチに限らず、例えば電子キー２の両スイッチ２７,２８部分にタッチセンサを設けて、ユーザの接触を操作として認識するタッチ式スイッチであってもよい。
【００４９】
・上記実施形態においては、マイコン２３が加速度センサ２１の検出結果に基づきユーザ特定を行っていた。しかし、車載装置３側にてユーザ特定を行ってもよい。この場合には、加速度センサ２１の検出結果はマイコン２３の判断を介することなく送信回路２４及び送信アンテナ２５を経て車両側に送信される。そして、車載制御部３３は受信アンテナ３１及び受信回路３２を介して受信した加速度センサ２１の検出結果に基づきユーザの特定を行う。この場合には、車載制御部３３のメモリ３３ａにはユーザ特定データが記憶される。
【００５０】
次に、前記実施形態から把握できる技術的思想をその効果と共に記載する。
【００５１】
（イ）前記加速度検出手段は電力の供給を受けて動作する構成とし、前記制御装置は、前記スイッチの操作が検知されている期間のみ前記加速度検出手段へ電力を供給して動作させる電子キー。
【００５２】
加速度検出手段の検出結果はスイッチが操作されている期間のみ振り操作の態様の検出の用に供されるところ、スイッチが操作されていない期間においては加速度検出手段の動作は不要である。上記構成によれば、スイッチが操作されていない期間においては加速度検出手段には動作電力が供給されないため、電子キーの無駄な電力の消費を抑制できる。これは、特に電子キーの動作電源が電池である場合には、供給できる電力が限られるため有益である。
【００５３】
（ロ）無線信号の送信を通じて自身を所持するユーザに適した車両環境への自動調節動作を実行する旨要求する電子キーと、前記無線信号に応じて車両環境の調節を実行する車載装置と、を備える電子キーシステムにおいて、電子キーは前記電子キーの振り操作に起因して生じる加速度を検出する加速度検出手段と、車両ドアの解錠を要求する際に操作され、操作されたときにはその旨示す操作信号を出力するスイッチと、を備え、前記電子キーの制御装置又は前記車載装置にてユーザの振りの態様を判断し、前記電子キー側で判断する場合には、同電子キーの制御装置は前記スイッチの操作が検知されている期間において、前記加速度検出手段の検出結果に基づきユーザの振り操作の態様を判断し、その判断される振り操作の態様に応じて車両環境を整えることに供される信号を送信し、前記車載装置は同信号を受けてユーザに適した車両環境の調節動作を実行し、前記車載装置側で判断をする場合には、前記電子キーは前記スイッチの操作が検知されている期間における前記加速度検出手段の検出結果を前記車載装置に送信し、前記車載装置は前記加速度検出手段の検出結果に基づきユーザの振り操作の態様を判断し、判断される振り操作の態様に応じてユーザに適した車両環境の調節動作を実行する電子キーシステム。
【００５４】
同構成によれば、前記電子キーの制御装置又は前記車載装置にて振り操作の態様を判断して、その判断される振り操作の態様に基づきユーザに適した異なる車両環境を実現することができる。
【符号の説明】
【００５５】
１…電子キーシステム、２…電子キー、３…車載装置、２１…加速度センサ（加速度検出手段）、２３…マイコン、２６…アンロックスイッチ、２７…ロックスイッチ、３３…車載制御部。
【図１】
0005465931.tif 000002
【図２】
0005465931.tif 000003
【図３】
0005465931.tif 000004
【図４】
0005465931.tif 000005
【図５】
0005465931.tif 000006